(57)【要約】【課題】爪に塗布したネイルジェルを短時間で硬化させることができ、低コストでかつコンパクトな構造であり、しかも長期間にわたって安全に使用することができるネイル用ＬＥＤ光照射装置を提供する。【解決手段】本発明のネイル用ＬＥＤ光照射装置１は、内部の照射室１１へ指を差し込む差込口１２が開口された本体１０と、照射室１１内に設けられ、差込口１２から差し込んだ指を並べた状態で位置決め固定する指置きプレート２０と、照射室１１内に設けられ、指置きプレート２０の各指部２１，２１，…に対向配置された複数個のＬＥＤ群３２，３２，…からＬＥＤ光を照射する光源部３０と、商用電源からの電力をＬＥＤの定格電圧に変換して光源部３０に供給する電源部４０とを備えて構成されている。【選択図】図１
2013220290.tif 000002
【特許請求の範囲】
【請求項１】
内部の照射室へ指を差し込む差込口が開口された本体と、
前記照射室内に設けられ、前記差込口から差し込んだ指を並べた状態で位置決め固定する指置きプレートと、
前記照射室内に設けられ、前記指置きプレートの各指部に対向配置された複数個のＬＥＤ群からＬＥＤ光を照射する光源部と、
商用電源からの電力をＬＥＤの定格電圧に変換して前記光源部に供給する電源部とを備えたことを特徴とするネイル用ＬＥＤ光照射装置。
【請求項２】
請求項１に記載のネイル用ＬＥＤ光照射装置において、前記指置きプレートが４列に配列された４本の指部に仕切られており、前記電源部が前記照射室の下段に設けられた電源格納室に格納されていることを特徴とする手指用のネイル用ＬＥＤ光照射装置。
【請求項３】
請求項１に記載のネイル用ＬＥＤ光照射装置において、前記指置きプレートが５列に配列された５本の指部に仕切られており、前記電源部が前記照射室の上段に設けられた電源格納室に格納されていることを特徴とする足指用のネイル用ＬＥＤ光照射装置。
【請求項４】
請求項３に記載の足指用のネイル用ＬＥＤ光照射装置において、前記指置きプレートを延長させて足型に成形した足置きプレートが設けられているか、又は前記本体の底面に設けられたマットに直接足型が印刷されていることを特徴とする足指用のネイル用ＬＥＤ光照射装置。
【請求項５】
請求項１〜４のいずれか１項に記載のネイル用ＬＥＤ光照射装置において、前記電源部が、前記商用電源に入力端子を介して接続される巻線と、この巻線を均等に分割した個々の出力端子に接続され、前記ＬＥＤ群に直流電圧を供給する全波整流回路とから構成された等電圧分配方式の電源回路であることを特徴とするネイル用ＬＥＤ光照射装置。
【請求項６】
請求項１〜４のいずれか１項に記載のネイル用ＬＥＤ光照射装置において、前記電源部が、前記商用電源に入力端子を介して接続される巻線と、この巻線の出力端子に接続され、前記ＬＥＤ群に直流電圧を供給するコンデンサインプット型整流回路とから構成されたトランス方式の電源回路であることを特徴とするネイル用ＬＥＤ光照射装置。
【発明の詳細な説明】
【技術分野】
【０００１】
本発明は、爪に塗布したネイルジェルを短時間で硬化させることが可能なネイル用ＬＥＤ光照射装置に関する。
【背景技術】
【０００２】
現在、ネイルサロン等の店舗では、顧客の手や足の爪にネイルアート用のマニキュアを塗布し、これを硬化させる目的で光照射装置が使用されている（例えば、下記の特許文献１を参照）。この種の光照射装置は、一般にＵＶランプによる光源を使用しており、ＵＶランプからの光を指先の爪に照射するようになっている。このため、マニキュアを硬化させるまでに約１５分間程度の時間を要しており、その間、顧客は同じ姿勢を維持しなければならないという負担を強いられている。また、ＵＶランプから照射される光は、波長３６０ｎｍ付近の紫外線であるため、目や爪や皮膚に長時間照射し続けると人体に様々な悪影響を及ぼすことが懸念されている。
【０００３】
その一方で、マニキュアを硬化させる時間を短縮するために、光源からの光の照射効率を高めるようにした装置が提案されている（例えば、下記の特許文献２を参照）。この装置は、本体内部の照射室に、複数の光源を中央部が高く両側が低くなるように配列し、光源の外側を覆うように曲面状の反射板を設けたものである。これにより、光源から放射された光が反射板に反射し、反射した光が照射室内に置かれた指先に向かって照射されるようになっている。しかし、この装置によると、照射時間は短くて済むものの、光源から照射される光が紫外線であるため、前記のような人体に対する悪影響の問題が依然として残されている。また、照射室内に置かれる指の位置が定まっていないため、場所によって爪に照射される光の量が一定ではなく、硬化時間にばらつきが生じるという問題もある。
【０００４】
この点に関し、少ない光量で指先に均一に紫外線を照射する装置も提案されている（例えば、下記の特許文献３を参照）。この装置は、本体内部に、指と指の間を仕切るセパレータを配置し、その上方に多数個の紫外線発光ダイオードをプリント基板に固定して取り付けたものである。これにより、本体内部に置いた手の位置がセパレータによって概ね位置決めされるので、指先の爪に対して紫外線発光ダイオードから照射される光をある程度一定に保つことができる。しかし、この装置の場合、本体に手全体を入れて指を位置決めする構造になっており、その分だけ本体の内部に広いスペースを確保しなければならず、しかも広いスペースを照らすために多数個の紫外線発光ダイオードが必要となる。このため、装置全体の大型化やコストアップを招くという問題がある。
【先行技術文献】
【特許文献】
【０００５】
【特許文献１】実用新案登録第３０４３１６６号公報
【特許文献２】実用新案登録第３１５１６９８号公報
【特許文献３】実用新案登録第３１４０１０９号公報
【発明の概要】
【発明が解決しようとする課題】
【０００６】
本発明は、前記のような問題を解決するためになされたものであり、その目的とするところは、爪に塗布したネイルジェルを短時間で硬化させることができ、低コストでかつコンパクトな構造であり、しかも長期間にわたって安全に使用することができるネイル用ＬＥＤ光照射装置を提供することにある。
【課題を解決するための手段】
【０００７】
この目的を達成するため、本発明のネイル用ＬＥＤ光照射装置は、内部の照射室へ指を差し込む差込口が開口された本体と、前記照射室内に設けられ、前記差込口から差し込んだ指を並べた状態で位置決め固定する指置きプレートと、前記照射室内に設けられ、前記指置きプレートの各指部に対向配置された複数個のＬＥＤ群からＬＥＤ光を照射する光源部と、商用電源からの電力をＬＥＤの定格電圧に変換して前記光源部に供給する電源部とを備えたことを特徴とする。
【０００８】
本発明のネイル用ＬＥＤ光照射装置にあっては、手指用の装置として、前記指置きプレートが４列に配列された４本の指部に仕切られており、前記電源部が前記照射室の下段に設けられた電源格納室に格納されている構成を採用することができる。また、足指用の装置としては、前記指置きプレートが５列に配列された５本の指部に仕切られており、前記電源部が前記照射室の上段に設けられた電源格納室に格納されている構成を採用することができる。ここで、足指用の装置の場合には、前記指置きプレートを延長させて足型に成形した足置きプレートが設けられているか、又は前記本体の底面に設けられたマットに直接足型が印刷されていると良い。
【０００９】
また、本発明のネイル用ＬＥＤ光照射装置において、前記電源部は、等電圧分配方式あるいはトランス方式の電源回路を採用することができる。等電圧分配方式の電源回路は、前記商用電源に入力端子を介して接続される巻線と、この巻線を均等に分割した個々の出力端子に接続され、前記ＬＥＤ群に直流電圧を供給する全波整流回路とから構成される。また、トランス方式の電源回路は、前記商用電源に入力端子を介して接続される巻線と、この巻線の出力端子に接続され、前記ＬＥＤ群に直流電圧を供給するコンデンサインプット型整流回路とから構成される。
【発明の効果】
【００１０】
本発明のネイル用ＬＥＤ光照射装置によれば、照射室内に設けられた指置きプレートによって指が正しい位置に固定され、各指先の爪に対して光源部からＬＥＤ光が確実に照射されるため、効率良く、極めて短時間でネイルジェルを硬化させることができる。また、光源部から照射される光がＬＥＤ光であり、ＵＶランプのような目や爪や皮膚に有害な波長の紫外線ではないため、長期にわたって安全に、安心して使用することができる。なお、電源部に等電圧分配方式やトランス方式の電源回路を採用した場合には、高周波トランスを使用したスイッチング電源に比べ、通電時に高周波ノイズが発生しないため静かであり、その上発熱もせず、故障しにくく長寿命であるといった利点もある。
【図面の簡単な説明】
【００１１】
【図１】第１実施形態のネイル用ＬＥＤ光照射装置の外観図である。
【図２】同装置における手指用の指置きプレートの構成を示す説明図である。
【図３】同装置における光源部の構成を示す説明図である。
【図４】同装置における等電圧分配方式の電源回路による電源部の配線図である。
【図５】同装置におけるトランス方式の電源回路による電源部の配線図である。
【図６】第２実施形態のネイル用ＬＥＤ光照射装置の外観図である。
【図７】同装置における足指用の指置きプレートの構成を示す説明図である。
【図８】同装置における光源部の構成を示す説明図である。
【図９】同装置における等電圧分配方式の電源回路による電源部の配線図である。
【図１０】同装置におけるトランス方式の電源回路による電源部の配線図である。
【発明を実施するための形態】
【００１２】
以下、本発明の実施形態について、図面を参照しながら説明する。
【００１３】
（第１実施形態）
図１に示すように、本実施形態のネイル用ＬＥＤ光照射装置（以下、単に「照射装置」という。）１は、手指の爪に塗布したネイルジェルを短時間で硬化させる装置である。この照射装置１は、箱型の本体１０（例．幅140ｍｍ×奥行99ｍｍ×高さ90ｍｍ）を備え、本体１０の内部に所定の空間を有する照射室１１が設けられている。また、本体１０の正面には、照射室１１に手指を差し込むための差込口１２が開口されており、その近くに電源のＯＮ／ＯＦＦを切り換える電源スイッチ１３が設けられている。さらに、本体１０の背面には、商用電源のコンセントに接続される差込プラグ１４と配線コード１５が一体に設けられている。
【００１４】
照射室１１の内部には、差込口１２から差し込んだ手指を位置決め固定するため、図２に示す手指用の指置きプレート２０が設けられている。この指置きプレート２０は、照射室１１内の底面に固定されており、手指の太さに合わせて４列に配列された凹部を形成することにより、４本の指部２１，２１，…に仕切られている。この４本の指部２１は、左右どちらの手指にも対応できるように、中央の２列が両側の２列よりも長く、左右対称に設計されている。また、各指部２１の先端には、指先がそれ以上奥へと入り込まないように、凸部を形成したストッパー２２が設けられている。なお、指置きプレート２０は、手指が直接に触れる部分であるため、ウレタンゴムやシリコーンゴム等の軟質素材で形成されていることが好ましい。
【００１５】
また、照射室１１の内部には、手の爪に塗布したネイルジェルを硬化させるため、図３に示す光源部３０が設けられている。この光源部３０は、前記指置きプレート２０と対向するように、照射室１１の天井に取り付けられる基板３１の上に設置されており、各指部２１に対応させた４つのＬＥＤ群３２，３２，…からＬＥＤ光を照射するように構成されている。各ＬＥＤ群３２は、それぞれ３個のＬＥＤを導線３３で直列に接続したものであり、各指部２１の先端に対応する位置に長手方向に沿って並んで配置されている。ここで、ＬＥＤ群３２を構成する個々のＬＥＤは、レンズ付ＬＥＤを使用した方が集光されて照射効率が良くなるので好ましい。なお、図中の点線部分は、前記指置きプレート２０の指部２１の位置を示している。
【００１６】
さらに、本体１０には電源部４０が内蔵されている。この電源部４０は、外部の商用電源から配線コード１５を介して入力された電力を照射室１１内の光源部３０へと供給するように構成されている。また、電源部４０は、商用電源の電源電圧をＬＥＤの定格電圧に変換する機能を有するものであり、例えば等電圧分配（ＥＶＤ：Equal Voltage Distributor）方式の電源回路（特許第4657382号）や、トランス方式の電源回路を採用することができる。
【００１７】
図４は等電圧分配方式の電源回路を採用した電源部４０の配線図である。この電源部４０は４分割整流回路であり、前記電源スイッチ１３と、入力端子４１と、巻線４２と、出力端子４３と、全波整流回路４４とから構成されている。入力端子４１は前記配線コード１５を介して商用電源に接続される。巻線４２は単巻変圧器（オートトランス）からなり、電源スイッチ１３を介して入力端子４１に接続されている。また、巻線４２の出力側には４分割された複数の導線を介して出力端子４３，４３，…が設けられており、各出力端子４３には全波整流回路４４を介して３個のＬＥＤが直列に接続されている。この３個のＬＥＤからなるＬＥＤ群３２を４列設けることによって、前記光源部３０が構成されている。
【００１８】
この等電圧分配方式の電源回路によれば、電源スイッチ１３をＯＮにすると、商用電源から入力されたＡＣ１００Ｖの電源電圧が巻線４２で降圧されて均等に分割される。そして、均等に分割された交流電圧は、全波整流回路４４で整流されて直流電圧に変換され、安定した電力が各ＬＥＤ群３２に供給される。これにより、各ＬＥＤ群３２の全ＬＥＤが点灯し、光源部３０からＬＥＤ光が照射されるようになっている。
【００１９】
図５はトランス方式の電源回路を採用した電源部４０の配線図である。図５（ａ）に示すように、この電源部４０はコンデンサインプット型整流回路であり、前記電源スイッチ１３と、入力端子４１と、巻線４２と、出力端子４３と、全波整流回路４４と、電解コンデンサ４５と、電流制限抵抗４６とから構成されている。この電源回路において、巻線４２はＥＩトランスやトロイダルトランスからなり、電源スイッチ１３を介して入力端子４１に接続されている。また、巻線４２の出力側には導線を介して出力端子４３が設けられており、この出力端子４３には全波整流回路４４、電解コンデンサ４５、及び電流制限抵抗４６を介して１２個（３個×４）のＬＥＤが直列に接続されている。この１２個のＬＥＤを１列に直列接続したＬＥＤ群３２，３２，…が、前記光源部３０を構成することになる。また、これに代えて、図５（ｂ）に示すように、１２個のＬＥＤを２列に並列接続したＬＥＤ群３２，３２，…によって前記光源部３０を構成してもよい。なお、ＬＥＤ群３２の接続形態は、図５（ｂ）の並列接続に比べて図５（ａ）の直列接続の方が高効率である。そこで、図５（ｂ）の並列接続において、商用電源の変動が大きい場合には、図５（ｃ）に示すように、電解コンデンサ４５とＬＥＤ群３２との間に定電流回路（装置）４７を使用すると良い。
【００２０】
このトランス方式の電源回路によれば、電源スイッチ１３をＯＮにすると、商用電源から入力されたＡＣ１００Ｖの電源電圧が巻線４２で降圧される。そして、降圧された交流電圧は、全波整流回路４４で整流されて直流電圧に変換され、電解コンデンサ４５によって脈動を除去した安定的な電力がＬＥＤ群３２に供給される。これにより、ＬＥＤ群３２の全ＬＥＤが点灯し、光源部３０からＬＥＤ光が照射されるようになっている。
【００２１】
以上の電源部４０は、図１に示したように照射室１１の下段に設けられた電源格納室１６に格納されており、電源格納室１６は所定の高さＨ（本実施形態では約45ｍｍ）に設定されている。このため、本体１０を台の上に設置すると、上段の照射室１１が下段の電源格納室１６の高さＨ分だけ高い位置に配置されることになる。したがって、差込口１２に手指を差し込んだときに、ちょうど第二関節までが照射室１１内に入り、手のひらが台に支えられて楽な姿勢で使用することができる。
【００２２】
以上が本実施形態の照射装置１の構成であり、以下その使用方法を説明する。この照射装置１は、ネイルサロン等の店舗において、顧客の手の爪に塗布したネイルジェルを短時間で硬化させるマニキュア用の設備として使用することができる。
【００２３】
図１において、店舗ではまず、照射装置１の差込プラグ１４を商用電源のコンセントに予め接続しておく。次に、顧客の手の爪に対し、長さ、形、キューティクル等を整えた後、爪の表面にネイルアート用のネイルジェルを塗布する。ここで、ネイルジェルは、ＬＥＤ光（波長４６０ｎｍ付近のピーク強度）の照射により硬化するジェル状化粧剤を使用することができる。その成分としては、例えばウレタンメタクリレート等の単官能メタクリレート（光硬化性モノマー）に、現在市販の光重合型コンポジットレジンに含まれている光増感剤のカンファーキノンと、還元剤のＮ，Ｎ−ジメチルアミノエチルメタクリレートやバルビツール酸等を配合すれば良い。
【００２４】
そして、前記ネイルジェルを爪に塗布した後、顧客の手指を差込口１２から照射室１１内へと差し込み、手指を指置きプレート２０に置いて位置決めし、電源スイッチ１３を押して電源をＯＮにする。すると、電源部４０から光源部３０へと電力が供給され、照射室１１の天井に配置されたＬＥＤが点灯し、光源部３０からＬＥＤ光が照射される。このとき、照射室１１内では、親指を除く４本の指が指置きプレート２０によって並んだ状態で正しい位置に固定されているため、各指部２１の先端に配列されたＬＥＤ群３２，３２，…から各指先の爪に向けてＬＥＤ光が確実に照射される。これにより、ＬＥＤ光を受けたネイルジェルは光重合開始剤の架橋反応により素早く硬化するため、従来よりも極めて短時間（約２０〜３０秒）でネイルジェルを硬化させることができる。なお、親指については、指置きプレート２０の両端のいずれか一方の指部２１に置き、同様にＬＥＤ光を照射することでネイルジェルを硬化させることができる。
【００２５】
また、本実施形態の照射装置１によれば、光源部３０から爪に照射される光はＬＥＤ光であり、ＵＶランプのような目や爪や皮膚に有害な波長の紫外線ではないため、長期にわたって安全に、安心して使用することができる。しかも、電源部４０に等電圧分配方式あるいはトランス方式の電源回路を採用したことにより、高周波トランスを使用したスイッチング電源に比べ、通電時に高周波ノイズが発生しないため静かであり、その上発熱もせず、故障しにくく長寿命であるといった利点もある。
【００２６】
さらに、本実施形態では、照射室１１内に４本の指部２１，２１，…を有する指置きプレート２０を設置し、親指とそれ以外の４本指を別々に処理する装置としたが、その理由は手のひらを下に向けて置いたとき、親指の爪だけが他の指の爪と違って離れた位置で横を向くためである。したがって、５本の指の爪を同時に処理するためには、照射室１１内に親指専用のＬＥＤを離れた位置で横向きに取り付けなければならず、その分だけ照射室１１内のスペースを広く確保する必要があり、ＬＥＤの個数も増えるため、装置全体の大型化とコストアップを招く。しかも、左右の手を比べると親指の爪の向きが反対であるため、照射室１１内に左手親指用のＬＥＤと右手親指用のＬＥＤの両方を設けるか、あるいは左手用装置と右手用装置を別々に用意しなければならない。この点、本実施形態の照射装置１によれば、指置きプレート２０を４本指にすることにより、コンパクトな１台で左右両方の手指に兼用することができる。
【００２７】
なお、本実施形態の照射装置１について、光源部３０から照射されるＬＥＤ光の照度を計測したところ、表１のような結果が得られた。光源部３０に使用したＬＥＤは1.5Ｗ×３個×４列＝18.0Ｗ、使用した照度計はＬＸ（mobiken）ＧＥ（三和ＭＩテクノス株式会社製、商品名）、ＬＥＤからのセンサの距離は15ｍｍとした。
［表１］
2013220290.tif 000003
このように、４本の指部２１，２１，…のすべてにおいて200klx以上の値が計測され、ネイルジェルを短時間で硬化させるのに充分な照度が得られることが判明した。
【００２８】
（第２実施形態）
図６に示すように、本実施形態の照射装置１は、足指の爪に塗布したネイルジェルを短時間で硬化させる装置である。この照射装置１は、内部に照射室１１が設けられた箱型の本体１０を備えているが、図１の照射装置１と比べて照射室１１と電源格納室１６の配置を逆さまにしたことが特徴である。すなわち、本体１０には、上段に電源部４０を格納した電源格納室１６が設けられており、その下段に光源部３０を有する照射室１１が配置された２段構造になっている。
【００２９】
照射室１１の内部には、差込口１２から差し込んだ足指を位置決め固定するため、図７に示す足指用の指置きプレート５０が設けられている。この指置きプレート５０は、照射室１１内の底面に固定されており、足指の太さに合わせて５列に配列された凹部を形成することにより、５本の指部５１，５１，…に仕切られている。この５本の指部５１には、左右どちらの足指にも対応できるように、各指部５１の境界部分を手前側の略半分だけ削って平坦部５３が形成されている。また、各指部５１の先端には、指先がそれ以上奥へと入り込まないように、凸部を形成したストッパー５２が設けられている。さらに、本体１０の底面には薄板状のマット６０が取り付けられており、このマット６０の上に指置きプレート５０を延長させて足型に成形した足置きプレート６１が設けられている。なお、指置きプレート５０と足置きプレート６１は、足指と足裏が直接に触れる部分であるため、ウレタンゴムやシリコーンゴム等の軟質材料で形成されていることが好ましい。また、図示しないが、足置きプレート６１以外にも、マット６０に直接足型を印刷しても良い。
【００３０】
また、照射室１１の内部には、足の爪に塗布したネイルジェルを硬化させるため、図８に示す光源部３０が設けられている。この光源部３０は、前記指置きプレート５０と対向するように、照射室１１の天井に取り付けられる基板３１の上に設置されており、各指部５１に対応させた５つのＬＥＤ群３２，３２，…からＬＥＤ光を照射するように構成されている。各ＬＥＤ群３２は、それぞれ３個のＬＥＤを導線３３で直列に接続したものであり、各指部５１の先端に対応する位置に長手方向に沿って並んで配置されている。ここでも、ＬＥＤ群３２を構成する個々のＬＥＤは、レンズ付ＬＥＤを使用した方が集光されて照射効率が良くなるので好ましい。なお、図中の点線部分は、前記指置きプレート５０の指部５１の位置を示している。
【００３１】
さらに、本実施形態の電源部４０についても、前述した等電圧分配方式の電源回路やトランス方式の電源回路を採用することができる。すなわち、等電圧分配方式の電源回路を採用した場合には、図９に示すように巻線４２の出力端子４３を５分割し、各出力端子４３に全波整流回路４４を介して３個のＬＥＤを直列接続する。そして、この３個のＬＥＤからなるＬＥＤ群３２を５列設けることによって、前記光源部３０が構成される。また、トランス方式の電源回路を採用した場合には、図１０（ａ）に示すように巻線４２の出力端子４３に全波整流回路４４、電解コンデンサ４５、及び電流制限抵抗４６を介して１５個（３個×５）のＬＥＤを直列に接続し、この１列に直列接続したＬＥＤ群３２，３２，…が前記光源部３０を構成することになる。さらに、図１０（ｂ）に示すように、ＬＥＤを並列に接続しても良い。この場合、１列のＬＥＤを３個、３個、２個としたＬＥＤ群３２，３２，…を２列にして並列接続し、中央の指部５１に対応するＬＥＤ群３２だけ４個のＬＥＤで構成すれば良い。なお、ＬＥＤ群３２の接続形態は、図１０（ｂ）の並列接続に比べて図１０（ａ）の直列接続の方が高効率である。そこで、図１０（ｂ）の並列接続において、商用電源の変動が大きい場合には、図１０（ｃ）に示すように、電解コンデンサ４５とＬＥＤ群３２との間に定電流回路（装置）４７を使用すると良い。
【００３２】
本実施形態の照射装置１は以上のように構成されており、この照射装置１もまた、ネイルサロン等の店舗において、顧客の足の爪に塗布したネイルジェルを短時間で硬化させるペディキュア用の設備として使用することができる。
【００３３】
すなわち、前記ネイルジェルを足の爪に塗布した後、差込口１２の一端から顧客の足を斜めに向けて照射室１１内へと差し込み、足裏を足置きプレート６１に合わせて置き、電源スイッチ１３を押して電源をＯＮにする。すると、電源部４０から光源部３０へと電力が供給され、照射室１１の天井に配置されたＬＥＤが点灯し、光源部３０からＬＥＤ光が照射される。このとき、照射室１１内では、足の５本の指が指置きプレート５０によって並んだ状態で正しい位置に固定されている。このため、各指部５１の先端に配列されたＬＥＤ群３２，３２，…から各指先の爪に向けてＬＥＤ光が確実に照射されるので、従来よりも極めて短時間（約２０〜３０秒）でネイルジェルを硬化させることができる。なお、反対の足については、差込口１２の他端から足を斜めに向けて照射室１１内へと差し込み、同様にＬＥＤ光を照射することでネイルジェルを硬化させることができる。
【００３４】
また、本実施形態では特に、マット６０の上に足型に成形した足置きプレート６１が設けられているため、この足置きプレート６１に合わせて足をのせれば、照射室１１内で足指を正しい位置にセットすることができる。また、本体１０を床の上に設置すると、床面と指置きプレート５０とが水平になり、差込口１２に足指を差し込んだときに足裏がしっかりと着地するので、リラックスした楽な姿勢で使用することができる。
【００３５】
なお、本実施形態の照射装置１について、光源部３０から照射されるＬＥＤ光の照度を計測したところ、表２のような結果が得られた。光源部３０に使用したＬＥＤは1.5Ｗ×３個×５列＝22.5Ｗ、使用した照度計はＬＸ（mobiken）ＧＥ（三和ＭＩテクノス株式会社製、商品名）、ＬＥＤからのセンサの距離は15ｍｍとした。
［表２］
2013220290.tif 000004
このように、５本の指部５１，５１，…のすべてにおいて200klx以上の値が計測され、ネイルジェルを短時間で硬化させるのに充分な照度が得られることが判明した。
【００３６】
なお、前述した実施形態はあくまで例示であり、本発明はその要旨を逸脱しない範囲で各種の設計変更が可能である。
【符号の説明】
【００３７】
１…ネイル用ＬＥＤ光照射装置
１０…本体
１１…照射室
１２…差込口
１３…電源スイッチ
１４…差込プラグ
１５…配線コード
１６…電源格納室
２０…指置きプレート
２１…指部
２２…ストッパー
３０…光源部
３１…基板
３２…ＬＥＤ群
３３…導線
４０…電源部
４１…入力端子
４２…巻線
４３…出力端子
４４…全波整流回路
４５…電解コンデンサ
４６…電流制限抵抗
４７…定電流回路
５０…指置きプレート
５１…指部
５２…ストッパー
５３…平坦部
６０…マット
６１…足置きプレート
【図１】
2013220290.tif 000005
【図２】
2013220290.tif 000006
【図３】
2013220290.tif 000007
【図４】
2013220290.tif 000008
【図５】
2013220290.tif 000009
【図６】
2013220290.tif 000010
【図７】
2013220290.tif 000011
【図８】
2013220290.tif 000012
【図９】
2013220290.tif 000013
【図１０】
2013220290.tif 000014
【手続補正書】
【提出日】平成24年6月1日(2012.6.1)
【手続補正１】
【補正対象書類名】明細書
【補正対象項目名】０００７
【補正方法】変更
【補正の内容】
【０００７】
この目的を達成するため、本発明のネイル用ＬＥＤ光照射装置は、内部の照射室へ指を差し込む差込口が開口された本体と、前記照射室内に設けられ、前記差込口から差し込んだ指を水平に並べた状態で位置決め固定する指置きプレートと、前記照射室内に設けられ、前記指置きプレートの各指部の先端に対応する位置に対向配置され、各指部の長手方向に沿って直列に接続された複数個のＬＥＤ群からＬＥＤ光を照射する光源部と、商用電源からの電力をＬＥＤの定格電圧に変換して前記光源部に供給する電源部とを備えたことを特徴とする。
【手続補正２】
【補正対象書類名】特許請求の範囲
【補正対象項目名】全文
【補正方法】変更
【補正の内容】
【特許請求の範囲】
【請求項１】
内部の照射室へ指を差し込む差込口が開口された本体と、
前記照射室内に設けられ、前記差込口から差し込んだ指を水平に並べた状態で位置決め固定する指置きプレートと、
前記照射室内に設けられ、前記指置きプレートの各指部の先端に対応する位置に対向配置され、各指部の長手方向に沿って直列に接続された複数個のＬＥＤ群からＬＥＤ光を照射する光源部と、
商用電源からの電力をＬＥＤの定格電圧に変換して前記光源部に供給する電源部とを備えたことを特徴とするネイル用ＬＥＤ光照射装置。
【請求項２】
請求項１に記載のネイル用ＬＥＤ光照射装置において、前記指置きプレートが４列に配列された４本の指部に仕切られており、前記電源部が前記照射室の下段に設けられた電源格納室に格納されていることを特徴とする手指用のネイル用ＬＥＤ光照射装置。
【請求項３】
請求項１に記載のネイル用ＬＥＤ光照射装置において、前記指置きプレートが５列に配列された５本の指部に仕切られており、前記電源部が前記照射室の上段に設けられた電源格納室に格納されていることを特徴とする足指用のネイル用ＬＥＤ光照射装置。
【請求項４】
請求項３に記載の足指用のネイル用ＬＥＤ光照射装置において、前記指置きプレートを延長させて足型に成形した足置きプレートが設けられているか、又は前記本体の底面に設けられたマットに直接足型が印刷されていることを特徴とする足指用のネイル用ＬＥＤ光照射装置。
【請求項５】
請求項１〜４のいずれか１項に記載のネイル用ＬＥＤ光照射装置において、前記電源部が、前記商用電源に入力端子を介して接続される巻線と、この巻線を均等に分割した個々の出力端子に接続され、前記ＬＥＤ群に直流電圧を供給する全波整流回路とから構成された等電圧分配方式の電源回路であることを特徴とするネイル用ＬＥＤ光照射装置。
【請求項６】
請求項１〜４のいずれか１項に記載のネイル用ＬＥＤ光照射装置において、前記電源部が、前記商用電源に入力端子を介して接続される巻線と、この巻線の出力端子に接続され、前記ＬＥＤ群に直流電圧を供給するコンデンサインプット型整流回路とから構成されたトランス方式の電源回路であることを特徴とするネイル用ＬＥＤ光照射装置。